(57)【特許請求の範囲】
【請求項１】
物件（１１ａ〜１１ｄ）毎に配置されて所定のセンサー（２１〜２４）を備えると共に識別情報候補が設定され、前記センサーから出力されたセンサー情報に基づいて動作が制御される複数の機器（１２）と、
前記物件毎に配置された物件統括局（１３ａ〜１３ｄ）と、
前記機器（１２）を管理する管理装置（１５）とを含むデータ送信システムであって、
前記機器は、前記センサー情報と前記識別情報候補とを当該機器が設置された前記物件内の前記物件統括局に送信し、
前記物件統括局は、前記各機器からの前記識別情報候補の中から識別情報を選択し、前記各機器からの前記センサー情報を前記識別情報と共に前記物件毎に前記管理装置へと送信し、
前記管理装置は、前記物件統括局からの前記センサー情報と前記識別情報とを受信し、受信した前記識別情報に応じた地理的情報を前記センサー情報に付加してデータベース化し、前記センサー情報と前記地理的情報とを外部の所定の情報処理局（１６）に送信することを特徴とする物件データ送信システム。
【請求項２】
請求項１に記載の物件データ送信システムであって、
前記機器（１２）は、空気調和機であることを特徴とする物件データ送信システム。
【請求項３】
物件（１１ａ〜１１ｄ）毎に配置されて所定の各種センサー（２１〜２４）を有し、前記各種センサーから出力されたセンサー情報に基づいて動作が制御される複数の機器としての空気調和機（１２）と、
前記センサー情報と、これを出力する前記空気調和機が設置された前記物件を識別する識別番号（物件ＩＤ）とを入力し、前記識別番号と当該識別番号に係る前記物件の地理的情報とを対応付け、前記センサー情報に対し前記地理的情報を付加してデータベース化し、前記センサー情報と前記地理的情報とを外部の所定の情報処理局（１６）に出力する集中計算センター（１５）と、
前記物件毎に設けられ、前記機器からの前記センサー情報を前記識別番号と共に前記物件毎に前記集中計算センター（１５）へと送信する物件統括局（１３ａ〜１３ｄ）と
を備え、
前記識別番号は、前記機器毎に設定された識別番号候補（エアコンＩＤ）から選択され、
前記機器は、前記センサー情報を前記識別番号候補と共に、前記物件統括局へ送信する物件データ送信システム。
【請求項４】
請求項１に記載の物件データ送信システムであって、
前記識別情報は、前記物件の地理的情報である物件データ送信システム。
【請求項５】
請求項３に記載の物件データ送信システムであって、
前記物件統括局は、前記物件毎に前記機器を集中制御する監視盤である物件データ送信システム。
【請求項６】
請求項３ないし請求項５のいずれかに記載の物件データ送信システムであって、
前記センサー情報は外気温度を含む物件データ送信システム。
【請求項７】
請求項３に記載の物件データ送信システムであって、
前記集中計算センター（１５）は、前記識別番号と当該識別番号に係る前記物件の地理的情報とが予め対応付けられた地理的情報対応テーブル（２９ａ）を有する物件データ送信システム。
【請求項８】
物件（１１ａ〜１１ｄ）毎に配置された物件統括局（１３ａ〜１３ｄ）が、当該物件統括局が設置された前記物件内の複数の所定の機器に備えられた所定のセンサー（２１〜２４）から出力されたセンサー情報に基づいて当該所定の機器（１２）の動作を制御する工程と、
前記機器が、前記センサー情報と当該機器に設定された識別情報候補とを当該機器が設置された前記物件に設置された前記物件統括局へと送信する工程と、
前記物件統括局が、前記各機器からの前記識別情報候補の中から識別情報（物件ＩＤ）を選択し、前記各機器からの前記センサー情報を前記識別情報と共に前記物件毎に所定の管理装置（１５）へと送信する工程と、
前記管理装置が、前記物件統括局からの前記各センサー情報と前記識別情報とを受信し、受信した前記識別情報に応じた地理的情報を前記各センサー情報に付加してデータベース化し、前記各センサー情報と前記地理的情報とを外部の所定の情報処理局（１６）に送信する工程と
を備える物件データ送信方法。
【請求項９】
請求項８に記載の物件データ送信方法であって、
前記機器（１２）は、空気調和機であることを特徴とする物件データ送信方法。
【請求項１０】
（ａ）物件（１１ａ〜１１ｄ）毎に配置された物件統括局（１３ａ〜１３ｄ）が、前記物件毎に配置されて所定の各種センサー（２１〜２４）を有すると共に前記各種センサーから出力されたセンサー情報に基づいて動作が制御される複数の機器としての空気調和機（１２）から、前記センサー情報を得るステップと、
（ｂ）管理装置（１５）が、前記物件統括局から、前記センサー情報と、これを出力する前記空気調和機が設置された前記物件を識別する識別番号（物件ＩＤ）とを入力し、前記識別番号と当該識別番号に係る前記物件の地理的情報とを対応付け、前記センサー情報に対し前記地理的情報を付加してデータベース化し、前記センサー情報と前記地理的情報とを外部の所定の情報処理局（１６）に出力するステップと
を備え、
前記ステップ（ａ）は、
（ａ１）前記機器からの前記センサー情報を前記識別番号と共に前記物件毎に前記ステップ（ｂ）の実行に供するステップを有し、
前記識別番号は、前記機器毎に設定された識別番号候補（エアコンＩＤ）から選択され、
前記機器は、前記センサー情報を前記識別番号候補と共に前記物件統括局に出力する物件データ送信方法。
【請求項１１】
請求項８に記載の物件データ送信方法であって、
前記識別情報は、前記物件の地理的情報である物件データ送信方法。
【請求項１２】
請求項１０に記載の物件データ送信方法であって、
前記ステップ（ａ１）は、前記物件毎に前記機器を集中制御する監視盤によって実行される物件データ送信方法。
【請求項１３】
請求項１０ないし請求項１２のいずれかに記載の物件データ送信方法であって、
前記センサー情報は外気温度を含む物件データ送信方法。
【請求項１４】
物件（１１ａ〜１１ｄ）毎に設置された物件統括局（１３ａ〜１３ｄ）を介して、前記物件毎に設置されて所定のセンサー（２１〜２４）を備えると共に前記センサーのセンサー情報に基づいて同じ前記物件内の前記物件統括局に制御される複数の機器（１２）の間でデータを送信または受信する管理装置であって、
前記物件統括局から、当該物件統括局と同じ前記物件内の前記各機器が備える前記センサから出力された前記センサー情報と、当該各機器に設定された識別情報候補の中から選択された識別情報とを受信し、受信した前記識別情報に応じた地理的情報を前記センサー情報に付加してデータベース化し、前記センサー情報と前記地理的情報とを外部の所定の情報処理局（１６）に送信することを特徴とする管理装置。
【請求項１５】
請求項１４に記載の管理装置であって、
前記機器（１２）は、空気調和機であることを特徴とする管理装置。
【請求項１６】
請求項１４または請求項１５に記載の管理装置であって、
前記センサー情報と、これを出力する前記機器が設置された前記物件を識別する前記識別番号（物件ＩＤ）とを入力し、前記識別番号と当該識別番号に係る前記物件の前記地理的情報とを対応付け、前記センサー情報に対し前記地理的情報を付加して出力する集中計算センター（１５）である管理装置。
【請求項１７】
請求項１４に記載の管理装置であって、
前記識別情報は、前記物件の地理的情報である管理装置。
【請求項１８】
請求項１６または請求項１７に記載の管理装置であって、
前記物件毎に設けられた前記物件統括局（１３ａ〜１３ｄ）から、前記機器からの前記センサー情報を前記識別番号と共に前記物件毎に与えられる管理装置。
【請求項１９】
請求項１８に記載の管理装置であって、
前記識別番号は、前記機器毎に設定された前記識別番号候補（エアコンＩＤ）から選択される管理装置。
【請求項２０】
請求項１９に記載の管理装置であって、
前記機器は、前記センサー情報を前記識別番号候補と共に、前記物件統括局へ送信する管理装置。
【請求項２１】
請求項２０に記載の管理装置であって、
前記物件統括局は、前記物件毎に前記機器を集中制御する監視盤である管理装置。
【請求項２２】
請求項１６ないし請求項２１のいずれかに記載の管理装置であって、
前記センサー情報は外気温度を含む管理装置。
【請求項２３】
請求項１６に記載の管理装置であって、
前記識別番号と当該識別番号に係る前記物件の地理的情報とが予め対応付けられた地理的情報対応テーブル（２９ａ）を有する管理装置。
【請求項２４】
物件（１１ａ〜１１ｄ）毎に設置された物件統括局（１３ａ〜１３ｄ）を介して、前記物件毎に設置されて所定のセンサー（２１〜２４）を備えると共に前記センサーのセンサー情報に基づいて同じ前記物件内の前記物件統括局に制御される複数の機器（１２）の間でデータを送信または受信する管理装置（１５）におけるデータ送受信方法であって、
前記管理装置が、前記物件統括局から、当該物件統括局と同じ前記物件内の前記各機器が備える前記センサーから出力される前記センサー情報と、当該各機器に設定された識別情報候補の中から選択された識別情報とを受信する工程と、
前記管理装置が、受信した前記識別情報に応じた地理的情報を前記各センサー情報に付加してデータベース化し、前記センサー情報と前記地理的情報とを外部の所定の情報処理局（１６）に送信する工程と
を備えることを特徴とするデータ送受信方法。
【請求項２５】
請求項２４に記載のデータ送受信方法であって、
前記機器（１２）は、空気調和機であることを特徴とするデータ送受信方法。
【請求項２６】
物件（１１ａ〜１１ｄ）毎に設置された物件統括局（１３ａ〜１３ｄ）を介して、前記物件毎に設定されて所定の各種センサを備えた複数の機器（１２）の間でデータを送信または受信する管理装置（１５）におけるデータ送受信方法であって、
前記管理装置が、前記物件毎の前記物件統括局から、前記物件毎に配置された前記各種センサーから出力されたセンサー情報と、これを出力する前記機器としての空気調和機（１２）が設置された前記物件を識別する識別番号（物件ＩＤ）とを入力し、前記識別番号と当該識別番号に係る前記物件の地理的情報とを対応付け、前記センサー情報に対し前記地理的情報を付加してデータベース化し、前記センサー情報と前記地理的情報とを外部の所定の情報処理局（１６）に送信し、
前記機器から出力された前記センサー情報は、前記物件統括局により前記識別番号と共に前記物件毎に入力され、
前記識別番号は、前記機器毎に設定された識別番号候補（エアコンＩＤ）から選択され、
前記機器は、前記センサー情報を前記識別番号候補と共に前記物件統括局に出力するデータ送受信方法。
【請求項２７】
請求項２４に記載のデータ送受信方法であって、
前記識別情報は、前記物件の地理的情報であるデータ送受信方法。
【請求項２８】
請求項２６に記載のデータ送受信方法であって、
前記センサー情報は、前記物件毎に前記機器を集中制御する監視盤によって出力されるデータ送受信方法。
【請求項２９】
請求項２６ないし請求項２８のいずれかに記載のデータ送受信方法であって、
前記センサー情報は外気温度を含むデータ送受信方法。
【発明の詳細な説明】
【０００１】
【発明の属する技術分野】
この発明は、空気調和機内の各種センサーで検出されたセンサー情報を所定の情報処理局に送信する物件データ送信システム、物件データ送信方法、管理装置及びデータ送受信方法に関する。
【０００２】
【従来の技術】
図４は一般的な空気調和機の各種センシングに係る機能を示すブロック図である。空気調和機は人に快適感を与えるものである。そして、人間の快適感は室内温度、湿度、気流及び輻射等の種々の因子によって条件付けられる。そこで、これらの各因子を検出して人間の快適感を向上させるべく、各空気調和機においては、図４の如く、室内、外気及び吹出空気等の各温度をそれぞれ検出する温度センサー２〜４、室内湿度を検出する湿度センサー５等が設置され、これらの各種センサー２〜５での検出結果に基づいて制御部６が駆動系７を駆動制御して空気調和制御を行う。
【０００３】
ここで、図５は、各建造物等の一定の範囲に設置された複数の空気調和機１ａ〜１ｆを監視盤８で集中制御する空気調和システムを示すブロック図である。この空気調和システムでは、上述のように、各空気調和機１ａ〜１ｆが各種センサー（図４中の符号２〜５参照）での検出結果に基づいて自律的に空気調和制御を行うことが可能であるとともに、各空気調和機１ａ〜１ｆの各種センサー２〜５で検出された情報が接続線９を通じて監視盤８に送信され、この監視盤８からの信号に基づいて各空気調和機１ａ〜１ｆが空気調和制御を行うことが可能となっている。
【０００４】
【発明が解決しようとする課題】
ところで、広く社会全般を見渡した場合に、数多くの空気調和機が各建造物等の様々な現場で使用され、各空気調和機内における各種センサーで検出された情報は、空気調和機での空気調和制御に使用されるものの、それ以外の情報処理に二次的に利用されることがなかった。
【０００５】
例えば、気象庁本庁、各気象予報中枢及び各地方気象台等の気象観測団体などでは、アメダス（Automatic Meteorological Data Acquisition System）等の地域気象観測システムにおいて多数の無人自動観測所から毎正時に電話回線を通じて気温等の観測値を集計しているが、例えば我が国においては、無人自動観測所の設置数は全国で約１３００箇所に限定されており、さらに多くの気温データを入手する場合には多大な費用を要する。
【０００６】
また、例えばコンビニエンスストア等のＰＯＳ（Point of Sales）システムを管理したり販売ネットワークを統括したりするマーケティング調査部門や経営コンサルタント会社等のマーケティング調査団体において、全国展開の販売ネットワークを通じて提供する商品の販売予測を行う場合などには、各地域の気温データをリアルタイムに入手するためには多大な調査費用を要していた。
【０００７】
そこで、この発明の課題は、各空気調和機において各種センサーで検出されたセンサー情報を、例えば気象予測やマーケティング調査などへ供与する等の二次利用を行うことが可能な技術を提供することにある。
【０００８】
【課題を解決するための手段】
この発明の第１の態様は、物件（１１ａ〜１１ｄ）毎に配置されて所定のセンサー（２１〜２４）を備えると共に識別情報候補が設定され、前記センサーから出力されたセンサー情報に基づいて動作が制御される複数の機器（１２）と、前記物件毎に配置された物件統括局（１３ａ〜１３ｄ）と、前記機器（１２）を管理する管理装置（１５）とを含むデータ送信システムであって、前記機器は、前記センサー情報と前記識別情報候補とを当該機器が設置された前記物件内の前記物件統括局に送信し、前記物件統括局は、前記各機器からの前記識別情報候補の中から識別情報を選択し、前記各機器からの前記センサー情報を前記識別情報と共に前記物件毎に前記管理装置へと送信し、前記管理装置は、前記物件統括局からの前記センサー情報と前記識別情報とを受信し、受信した前記識別情報に応じた地理的情報を前記センサー情報に付加してデータベース化し、前記センサー情報と前記地理的情報とを外部の所定の情報処理局（１６）に送信するものである。
【０００９】
具体的に、この発明の第１の態様は、物件データ送信システムであって、物件（１１ａ〜１１ｄ）毎に配置されて所定の各種センサー（２１〜２４）を有し、前記各種センサーから出力されたセンサー情報に基づいて動作が制御される複数又は単数の空気調和機（１２）と、前記センサー情報と、これを出力する前記空気調和機が設置された前記物件を識別する識別番号（物件ＩＤ）とを入力し、前記識別番号と当該識別番号に係る前記物件の地理的情報とを対応付け、前記センサー情報に対し前記地理的情報を付加して出力する集中計算センター（１５）とを備える。
【００１０】
更に、前記物件毎に設けられ、前記空気調和機からの前記センサー情報を前記識別番号と共に前記物件毎に前記集中計算センター（１５）へと送信する物件統括局（１３ａ〜１３ｄ）を備える。
【００１１】
この発明の第２の態様は、物件（１１ａ〜１１ｄ）毎に配置された物件統括局（１３ａ〜１３ｄ）が、当該物件統括局が設置された前記物件内の複数の所定の機器に備えられた所定のセンサー（２１〜２４）から出力されたセンサー情報に基づいて当該所定の機器（１２）の動作を制御する工程と、前記機器が、前記センサー情報と当該機器に設定された識別情報候補とを当該機器が設置された前記物件に設置された前記物件統括局へと送信する工程と、前記物件統括局が、前記各機器からの前記識別情報候補の中から識別情報（物件ＩＤ）を選択し、前記各機器からの前記センサー情報を前記識別情報と共に前記物件毎に所定の管理装置（１５）へと送信する工程と、前記管理装置が、前記物件統括局からの前記各センサー情報と前記識別情報とを受信し、受信した前記識別情報に応じた地理的情報を前記各センサー情報に付加してデータベース化し、前記各センサー情報と前記地理的情報とを外部の所定の情報処理局（１６）に送信する工程とを備える。
【００１２】
具体的に、この発明の第２の態様は、物件データ送信方法であって、（ａ）物件（１１ａ〜１１ｄ）毎に配置された物件統括局（１３ａ〜１３ｄ）が、前記物件毎に配置されて所定の各種センサー（２１〜２４）を有すると共に前記各種センサーから出力されたセンサー情報に基づいて動作が制御される複数の機器としての空気調和機（１２）から、前記各センサー情報を得るステップと、（ｂ）管理装置（１５）が、前記物件統括局から、前記センサー情報と、これを出力する前記空気調和機が設置された前記物件を識別する識別番号（物件ＩＤ）とを入力し、前記識別番号と当該識別番号に係る前記物件の地理的情報とを対応付け、前記センサー情報に対し前記地理的情報を付加してデータベース化し、前記センサー情報と前記地理的情報とを外部の所定の情報処理局（１６）に出力するステップとを備える。
【００１３】
更に、前記ステップ（ａ）は、（ａ１）前記空気調和機からの前記センサー情報を前記識別番号と共に前記物件毎に前記ステップ（ｂ）の実行に供するステップを有する。
【００１４】
更に第１及び第２の態様において、前記識別番号は、前記空気調和機毎に設定された識別番号候補（エアコンＩＤ）から選択される。
【００１５】
また前記空気調和機は、前記センサー情報を前記識別番号候補と共に出力される。その場合、前記空気調和機からの前記センサー情報を前記識別番号と共に前記物件毎に出力する機能を、前記空気調和機を集中制御する監視盤が担っても良い。また例えば前記センサー情報は外気温度を含む。
【００１６】
【発明の実施の形態】
＜構成＞
図１はこの発明の一の実施の形態に係る物件データ送信システムを示すブロック図である。
【００１７】
この物件データ送信システムは、図１の如く、例えば、オフィスビルまたは商業店舗施設等の各種設備（以下「物件」と称する）１１ａ〜１１ｄ内に設置された複数または単数の空気調和機１２を、所定の物件統括局１３ａ〜１３ｄを通じてインターネット回線（大規模ネットワーク）１４に接続し、各空気調和機１２内の各種センサー（図４中の符号２〜５参照）で検出されたセンサー情報を所定の集中計算センター１５に送信し、さらにかかるセンサー情報を、集中計算センター１５において、気象観測団体またはマーケティング調査団体等の任意の情報処理局１６に提供可能に保持するものである。
【００１８】
図２は物件１１ｄを例にとって空気調和機１２の構成を示すブロック図である。物件１１ａ〜１１ｃにおいても同様にして複数の空気調和機１２が各物件統括局１３ａ〜１３ｃに接続される。
【００１９】
各物件１１ａ〜１１ｄ内の空気調和機１２は、図２の如く、室内、外気及び吹出空気等の各温度をそれぞれ検出する温度センサー２１〜２３と、室内湿度を検出する湿度センサー２４と、圧縮装置及び送風装置等を含む各種の駆動系２６と、各種センサー２１〜２４でのセンサー情報を処理し、これに基づいてこの駆動系２６を制御する制御部２５と、当該センサー情報を物件統括局１３ａ〜１３ｄに送信する通信回路２７とを備える。制御部２５は、図示しないＲＯＭ、ＲＡＭ及びＣＰＵを備えるマイクロコンピュータチップが使用されており、予めＲＯＭ内に格納されたソフトウェアプログラムに従ってＣＰＵが動作することで機能する。制御部２５は、各空気調和機１２に予め固有に付与されたエアコンＩＤ番号（識別番号）をＲＯＭ内に格納しており、センサー情報を通信回路２７を通じて物件統括局１３ａ〜１３ｄに送信する際には、通信するデータのヘッダ部にエアコンＩＤ番号を付与した状態でセンサー情報を送出する。
【００２０】
物件統括局１３ａ〜１３ｄは、具体的には物件１１ａ〜１１ｄそれぞれにおいて一元化された監視盤であって、図示しないＲＯＭ、ＲＡＭ及びＣＰＵを備えるマイクロコンピュータチップが使用されており、予めＲＯＭ内に格納されたソフトウェアプログラムに従ってＣＰＵが動作するとともに、インターネット回線としての大規模ネットワーク（通信経路）１４に接続するためのＭＯＤＥＭ（Modulator-Demodulator：変復調装置）またはＴＡ（Terminal Adapter）を備えている。
【００２１】
物件統括局１３ａ〜１３ｄは、各空気調和機１２の各種センサー２１〜２４で検出されて制御部２５を通じて与えられたセンサー情報に基づいて、各空気調和機１２を個別に制御する機能を有する。
【００２２】
また物件統括局１３ａ〜１３ｄは、各空気調和機１２からエアコンＩＤ番号及びセンサー情報が与えられたときに、このセンサー情報を書き換え可能な不揮発性メモリ（記憶装置）２８内に格納する。記憶装置２８内には、物件１１ａ〜１１ｄ毎に予め設定される物件ＩＤ番号も格納されている。ＣＰＵはソフトウェアプログラムに従って計時を開始し、一定時間後に、記憶装置２８内の物件エアコンＩＤ番号及びセンサー情報を大規模ネットワーク１４を通じて集中計算センター１５に送信する機能を有する。
【００２３】
尚、望ましくは、物件統括局１３ａ〜１３ｄの記憶装置２８内に、物件１１ａ〜１１ｄの躯体温度、日射量等の建物情報を予め格納しておき、各空気調和機１２のセンサー情報等と共に大規模ネットワーク１４を通じて集中計算センター１５に送信する。ここで、予め記憶装置２８内に予め格納された建物情報と、各空気調和機１２から与えられて記憶装置２８内に随時格納される各種センサー情報と物件ＩＤ番号とをもって、以下に「保持情報」と総称する。尚、物件ＩＤ番号は、エアコンＩＤ番号の中から選択して採用しても良い。さらに、その選択は随時変更されてもよい。
【００２４】
集中計算センター１５は、ＣＰＵ、ＲＯＭ及びＲＡＭが搭載されるとともに、大規模ネットワーク（インターネット回線）１４に接続可能なＭＯＤＥＭまたはＴＡ等の通信回路を備えたコンピューティングシステムが使用され、ハードディスクドライブ等の所定の記憶装置（以下「中央処理記憶装置」と称す）２９内に予め格納されたソフトウェアプログラム（以下「中央処理プログラム」と称す）に従ってＣＰＵが動作する。
【００２５】
中央処理記憶装置２９には、各物件１１ａ〜１１ｄの物件ＩＤ番号と、その各物件１１ａ〜１１ｄの存在位置を意味する地理的情報とを対応付けた地理的情報対応テーブル２９ａが格納されている。また、後述のセンサー情報データベースとなるデータベースファイル２９ｂを更新可能に格納している。
【００２６】
ここで、上記の地理的情報としては、住所、郵便番号または緯度経度等が採用される。あるいは、集中計算センターが独自に規定してコード付けした特有の地理的情報であってもよい。
【００２７】
そして、中央処理プログラムは、大規模ネットワーク１４を通じて各物件１１ａ〜１１ｄの物件統括局１３ａ〜１３ｄから物件ＩＤ番号及びセンサー情報が送信されたときに、当該物件ＩＤ番号をキーとして、当該センサー情報をもたらした空気調和機１２が設置された物件の地理的情報を地理的情報対応テーブル２９ａから読み出し、その地理的情報にセンサー情報を対応付けて中央処理記憶装置２９内のデータベースファイル２９ｂに格納保持する機能を有する。
【００２８】
また、中央処理プログラムは、所定の通信線３１を通じて、あるいは磁気ディスク等の所定の記録媒体やプリントアウトしたプリント用紙を通じて、情報処理局１６に提供可能とされている。
【００２９】
＜動作＞
上記構成の物件データ送信システムの動作を、図３のフローチャートに沿って説明する。尚、集中計算センター１５には、複数の物件１１ａ〜１１ｄの物件統括局１３ａ〜１３ｄが接続されており、また、各物件統括局１３ａ〜１３ｄの記憶装置２８内には保持情報の一部を成す建物情報が既に格納されているものとする。また、空気調和機１２のユーザは、空気調和機１２の購入時等に、その空気調和機１２で検出された各種センサー情報を情報処理局１６に提供してもよいかどうかの意思を契約書面等において確認しているものとする。
【００３０】
まず、空気調和機１２では、各種センサー２１〜２４により、室内、外気及び吹出空気等の各温度及び湿度といった各種センサー情報を検出し、かかるセンサー情報を自身のエアコンＩＤ番号と共に物件統括局１３ａ〜１３ｄに送信する。物件統括局１３ａ〜１３ｄは、エアコンＩＤ番号とセンサー情報とに基づいて、物件１１ａ〜１１ｄ毎に空気調和機１２を集中制御する監視盤として機能する。物件統括局１３ａ〜１３ｄでは、図３中のステップＳ１において、空気調和機１２のエアコンＩＤ番号及び各種センサー情報を記憶装置２８に格納保持する。これを契機として、物件統括局１３ａ〜１３ｄのＣＰＵは計時を開始する。
【００３１】
そして、ステップＳ２において、物件統括局１３ａ〜１３ｄ内のＣＰＵの計時が一定時間を経過したときに、この物件統括局１３ａ〜１３ｄは、その時点で記憶装置２８内に保持されている物件ＩＤ番号と少なくとも一つのセンサー情報（例えば外気温度）、建物情報を大規模ネットワーク１４を通じて集中計算センター１５に送信する。この際、一つの物件１１ａ〜１１ｄについて複数の空気調和機１２のセンサー情報を与える必要はない。例えば、外気温度についての情報は各物件１１ａ〜１１ｄ毎に１つあれば、二次利用に足りる場合もあるからである。
【００３２】
集中計算センター１５では、物件統括局１３ａ〜１３ｄから与えられた物件ＩＤ番号をキーとして、センサー情報をもたらした空気調和機１２が設置された物件１１ａ〜１１ｄの地理的情報を地理的情報対応テーブル２９ａから読み出す。そして、ステップＳ３において、この地理的情報をセンサー情報あるいはさらに建物情報に付加して、例えば気象観測団体等の情報処理局１６へ送信する。
【００３３】
情報処理局１６では、大規模ネットワーク１４を通じて多数接続された各物件１１ａ〜１１ｄ内の各空気調和機１２で検出された各種センサー情報を有効活用し、気象予測等の所定の業務に役立てる。
【００３４】
その後は、情報処理局１６からデータ送信についての対価（データ送信料）の支払いを受ける。
【００３５】
以上のように、情報処理局１６としては、各地に新たなセンサーを設置することなく、多数の地理的情報及び各種センサー情報を獲得することができ、詳細な気象予測やマーケティング上の販売予測等を行うことができる。
【００３６】
尚、物件統括局１３ａ〜１３ｄとして監視盤を適用する代わりに、複数の空気調和機１２を集中制御するリモートコントロール器を適用してもよい。あるいは、物件統括局１３ａ〜１３ｄとして一元化された制御機能付きの室外機を適用し、複数の室内機を室外機で集中制御するようにしてもよい。
【００３７】
また、上記実施の形態では、センサー情報を一旦記憶装置２８内に格納して集中計算センター１５に送信していたが、各種センサー２１〜２４のセンサー情報を、各空気調和機１２に内蔵された図示しない不揮発性メモリ内に一旦格納した後に物件統括局１３ａ〜１３ｄを通じて集中計算センター１５に送信してもよい。さらに、空気調和機１２毎にＩＤ番号が設定される場合には、これも上記記憶装置２８内に一旦格納してもよい。
【００３８】
さらに、上記実施の形態では、集中計算センター（１５）において、物件ＩＤ番号と地理的情報とを地理的情報対応テーブル（２９ａ）で予め対応付けていたが、識別情報を地理的情報そのものとしてもよい。
【００３９】
【発明の効果】
この発明に係る物件データ送信システム、物件データ送信方法、管理装置及びデータ送受信方法では、各空気調和機等の機器で検出したセンサー情報を、当該センサー情報を出力する物件の地理的情報と共に外部へ提示することができ、センサー情報の有効利用を図ることができる、という効果がある。
【図面の簡単な説明】
【図１】この発明の一の実施の形態に係る物件データ送信システムを示すブロック図である。
【図２】空気調和機の機能を示すブロック図である。
【図３】この発明の一の実施の形態に係る物件データ送信方法を示すフローチャートである。
【図４】従来の空気調和機を示すブロック図である。
【図５】空気調和システムを示すブロック図である。
【符号の説明】
１１ａ〜１１ｄ  物件
１２  空気調和機
１３ａ〜１３ｄ  物件統括局
１４  大規模ネットワーク
１５  集中計算センター
１６  情報処理局
２１〜２４  各種センサー
２５  制御部
２６  駆動系
２７  通信回路
２８  記憶装置
２９  中央処理記憶装置
２９ａ  地理的情報対応テーブル
２９ｂ  データベースファイル
３１  通信線
【図１】
0004427869.tif 000002
【図２】
0004427869.tif 000003
【図３】
0004427869.tif 000004
【図４】
0004427869.tif 000005
【図５】
0004427869.tif 000006